(57)【要約】      （修正有）【課題】壁掛けフックに着せ替え機能を持たせ、場合に応じて、使用する気分を切り替える事の出来る壁掛けフックを提供する。【解決手段】壁掛けフック１２は、吸着、磁石吸引、粘着等で壁に固定される基体部を有する。基体部１０には、任意に物を掛かり止めする事が出来るフックが固定されている。そして、基体部には、飾り板１４が着脱自在に装着され、飾り板の模様を選ぶことで、着せ替え機能を楽しみ、気分の切り替えを容易に可能とする。【選択図】図２
0003222915.tif 000002
【実用新案登録請求の範囲】
【請求項１】
壁に固定される基体部と、
基体部に固定され、任意に物を掛かり止めする事が出来るフックと、
基体部に着脱自在に装着される飾り板と、
を含む壁掛けフック。
【請求項２】
請求項１に記載の壁掛けフックであって、
飾り板は、共通のテーマを持ち、且つ異なる模様を持った複数の飾り板組から選択される壁掛けフック。
【請求項３】
請求項１または２に記載の壁掛けフックであって、
飾り板、または飾り板組は、キーホルダチェインを取り付け可能であり、単体でキーホルダとして利用可能なことを特徴とする壁掛けフック。
【考案の詳細な説明】
【技術分野】
【０００１】
本明細書では、壁掛けフック、特に着せ替え機能を有する、使って楽しい壁掛けフックが開示される。
【背景技術】
【０００２】
従来、壁掛けフックに好みの模様、写真、デザイン、絵画などを印刷し、或いはシール等で貼り付け、使用する度に楽しい思いをしたいと云う希望があり、例えば、特許文献1には、動物の顔をフック本体に形作り、この動物の顔を自分の好みの顔とする事で、壁掛けフックを使う度に満足度を得る壁掛けフックが提案されている。
【先行技術文献】
【特許文献】
【０００３】
【特許文献１】特開２０１５−２８９７号公報
【考案の概要】
【考案が解決しようとする課題】
【０００４】
しかしながら、従来の壁掛けフックでは、デザイン、模様、写真等は本体に固定されているので、一種類の決まったデザインしか使用することが出来ず、使用者が直ぐに飽きてしまうと云う欠点があった。
【０００５】
そこで本明細書では、本体に着脱自在に装着される飾り板を着せ替え可能とし、その日の気分に合わせて好きな飾り板を本体に付け替え、毎日を楽しく過ごせる、改良された壁掛けフックを開示している。
【課題を解決するための手段】
【０００６】
上記課題を解決するために、本考案は、
壁に固定される基体部と、
基体部に固定され、任意に物を掛かり止めする事が出来るフックと、
基体部に着脱自在に装着される飾り板と、
を含む壁掛けフックを提供する。
【０００７】
本考案によれば、使用者はその日の気分に応じて、任意に好きなデザインの飾り板を基体部に装着して、室内の装飾とすることが出来る。
【０００８】
また、飾り板は、共通のテーマを持ち、且つ異なる模様を持った複数の飾り板組から選択する事ができる。
【０００９】
例えば、使用者が、特定のアイドルグループ、ゲームキャラクター或いはアニメ動画のファンであったような場合、これらのグループ、キャラクターのメンバー、或いは、アニメの登場人物を模した写真、絵等を飾り板組に印刷し、これらの飾り板をその日の気分に応じて選択すれば、長期に亘って長く室内の雰囲気を自分の好みに合わせることが出来る。
【００１０】
更に、飾り板、または飾り板組には、キーホルダチェインを取り付け可能であり、壁掛けフックではなく、飾り板単体をキーホルダとして利用可能な便利さも享受する事が出来る。
【考案の効果】
【００１１】
本明細書で開示する壁掛けフックによれば、一つの基体部に対して、色々のデザインで構成する飾り板或いは飾り板組から選択した飾り板を着せ替えて、好みの室内装飾を愉しむことが可能となる。
【図面の簡単な説明】
【００１２】
【図１】本考案の第１実施形態を示す組み立て状態の壁掛けフックである。
【図２】図１の壁掛けフックの、基体部から飾り板を分離した状態を示す分解図である。
【図３】図２の飾り板を基体部に装着した状態を示す説明図である。
【図４】第１実施形態の基体部の正面図である。
【図５】第１実施形態の基体部の背面図である。
【図６】第１実施形態の基体部の上面図である。
【図７】本考案の第２実施形態の基体部と飾り板組の説明図である。
【図８】本考案の第３実施形態の基体部と飾り板の説明図である。
【図９】第３実施形態に用いるキーホルダチェインの一例を示す説明図である。
【図１０】第３実施形態に用いるキーホルダチェインの他例を示す説明図である。
【図１１】本考案の第４実施形態の壁掛けフックの説明図である。
【図１２】本考案の基体部の他の例を示す説明図である。
【考案を実施するための形態】
【００１３】
以下、図面を用いて本考案の実施形態を詳細に説明する。
【００１４】
図１から図６には、本考案の第１実施形態が示されている。本考案に掛かる壁掛けフックは、基体部１０と、基体部１０に固定されたフック１２、そして、基体部１０に着脱自在に装着された飾り板１４を含む。基体部１０は、アクリル基板からなり、その表面には、図１に示されるように、好みのデザイン、写真、絵、等が印刷或いはシールで貼り付けられ、装飾性を高めている。また、基体部１０の裏面には、図５に示されるように、四角形の強粘着両面テープ１６が貼り付けられ、室内壁、家具等の好きな場所に固定される。
フック１２は、針金を折り曲げて、両端を基体部１０の両側面に設けられた固定穴の差し込み、基体部１０に固定されている。フック１２の形状は、図２から明らかなように、その中央部が一旦下方に伸び、更に、その先端が上方に突き上げ、任意に物を掛かり止めする事が出来る形状を呈している。
【００１５】
飾り板１４は、アクリル基板からなり、その表面に使用者の好みのデザイン、写真、絵画、模様が配され、これらはアクリル基板に直接ＵＶインクジェット印刷などで印刷され、或いは、別途作成されたシールを飾り板１４に貼り付けるなどの手法で、表面を飾っている。飾り板１４の下部には、図２で示される突起部１４aが設けられ、この突起部１４aを、基体部１０の上面に設けられた受け溝１０a（図６参照）に装着することで、基体部１０と飾り板１４とが一体化される。
【００１６】
以上のように、本考案によれば、飾り板１４を任意に基体部１０に選択的に装着することが出来、使用者が自分の室内を自由に好み通りに装飾することが可能となる。使用者は、このために飾り板１４を複数所有し、各飾り板１４のデザインを任意に選択し、時々の気分に応じて好きなデザインを選択して壁掛けフックを着せ替えることが可能となる。
【００１７】
図７には本考案に係る壁掛けフックの第２実施形態が示され、フック２２を持った１個の基体部２０に対して５枚の飾り板２４ａ、２４ｂ、２４ｃ、２４ｄ、２４ｅを組として対応付ける。したがって、使用者は飾り板２４ａから２４ｅの内、任意の飾り板を突起部２４ｇにより基体部２０に装着することが出来る。このような飾り板組は、例えばアイドルグループ、ゲームキャラクターのメンバーを組とし、或いはアニメ動画の登場人物を組とすることで、アイドルグループ、ゲームキャラクターやアニメ動画のファンに対し、より好みに合った壁掛けフックを提供することが可能となる。図７では、５枚の飾り板２４ａから２４ｅが用意されており、それぞれの表面にはグループの異なるメンバー或いはアニメ動画の異なる登場人物が描かれている。
【００１８】
図８には本考案の第３実施例が示されている。図８において、基体部３０は五角形の全体形状を有し、その表面には印刷或いはシール貼りにより好みのデザインが施される。基体部３０には、任意に物を掛かり止めするためのフック３２が固定されている。この基体部３０には、図示した飾り板３４が用意されており、この飾り板３４には他の実施形態と同様にその表面に使用者の好みであるデザインが施される。飾り板３４の下部には基体部３０に装着するための突起部３４ａが設けられている。
【００１９】
飾り板３４には、飾り板を単体でキーホルダ飾りとして利用するためにキーホルダチェイン３６が取り付け可能である。図８において、キーホルダチェイン３６は飾り板３４に設けられた装着孔３４ｂに取り付けられる。したがって、図８の実施形態によれば、飾り板３４は基体部３０に装着することで壁掛けフックとして使用出来るばかりでなく、基体部３０から取り外し、キーホルダチェイン３６を取り付けることにより、キーホルダとしても利用可能である。
【００２０】
図９、図１０には、第３実施形態におけるキーホルダチェイン３６Ａ、３６Ｂが示され、これらのキーホルダチェイン３６Ａ、３６Ｂを飾り板３４の装着孔３４ｂに取り付けることで、好みのキーホルダを簡単に得ることが可能となる。
【００２１】
図１１には、本考案の第４実施形態が示され、基体部４０の下部には２個のフック４２Ａ及び４２Ｂが固定されており、２つの物を任意に掛かり止めすることが出来る。そして、基体部４０の上部には２個の飾り板４４Ａ、４４Ｂが着脱可能に装着されている。図示してはいないが、図１１の基体部４０及び飾り板４４Ａ、４４Ｂには好みのデザイン、写真、絵画などが印刷あるいはシール貼り付けされており、使用者に好みの装飾を与えている。
【００２２】
図１２には、本考案にかかる基体部５０を室内の壁或いは家具などに固定するために、強粘着両面テープの代わりに吸着磁石５６を基体部５０の裏面に貼り付けた実施形態が示されている。本考案において、前記吸着磁石は、ガラス、タイル等に吸着される吸盤とすることも可能である。この実施形態においても、基体部５０には任意のデザインが施された飾り板が着脱可能に装着されている。
【符号の説明】
【００２３】
１０、２０、３０、４０、５０  基体部、
１２、２２、３２、４２Ａ、４３Ｂ  フック、
１４、２４ａ、２４ｂ、２４ｃ、２４ｄ、２４ｅ、３４、４４Ａ、４４Ｂ  飾り板
３６、３６Ａ、３６Ｂ、  キーホルダチェイン
【図１】
0003222915.tif 000003
【図２】
0003222915.tif 000004
【図３】
0003222915.tif 000005
【図４】
0003222915.tif 000006
【図５】
0003222915.tif 000007
【図６】
0003222915.tif 000008
【図７】
0003222915.tif 000009
【図８】
0003222915.tif 000010
【図９】
0003222915.tif 000011
【図１０】
0003222915.tif 000012
【図１１】
0003222915.tif 000013
【図１２】
0003222915.tif 000014